(57)【要約】【課題】体重や質量の誤入力を、簡便な方法で、かつ確実に防止することができる磁気共鳴イメージング装置を提供する。【解決手段】実施形態の磁気共鳴イメージング装置は、少なくとも体重と身長を含む患者情報を入力する入力部と、入力された前記体重と身長とから、体重（ｋｇ）／（身長（ｍ））２、で表されるＢＭＩ（Body Mass Index）を算出する指標算出部と、算出した前記ＢＭＩが所定の閾値範囲内にあるか否かを判定する判定部と、前記ＢＭＩが前記所定の閾値範囲内にない場合は、その旨を警告表示する表示部と、を備えたことを特徴とする。【選択図】  図４
2014213085.tif 000002
【特許請求の範囲】
【請求項１】
少なくとも体重と身長を含む患者情報を入力する入力部と、
入力された前記体重と身長とから、体重（ｋｇ）／（身長（ｍ））２、で表されるＢＭＩ（Body Mass Index）を算出する指標算出部と、
算出した前記ＢＭＩが所定の閾値範囲内にあるか否かを判定する判定部と、
前記ＢＭＩが前記所定の閾値範囲内にない場合は、その旨を警告表示する表示部と、
を備えたことを特徴とする磁気共鳴イメージング装置。
【請求項２】
前記警告表示は、入力された前記体重及び身長を、前記ＢＭＩが前記所定の閾値範囲内にあるときの表示とは異なる色、異なる大きさ、及び異なる太さの少なくともいずれかで表示するものである、
ことを特徴とする請求項１に記載の磁気共鳴イメージング装置。
【請求項３】
前記所定の閾値、前記異なる色、前記異なる大きさ及び前記異なる太さの少なくとも１つは、ユーザ操作によって変更できるように構成される、
ことを特徴とする請求項２に記載の磁気共鳴イメージング装置。
【請求項４】
前記判定部は、前記ＢＭＩと前記所定の閾値範囲との乖離の程度をさらに判定し、
前記表示部は、前記乖離の程度に応じて、前記警告表示の態様を多段階に異ならせて表示する、
ことを特徴とする請求項１に記載の磁気共鳴イメージング装置。
【請求項５】
前記表示部は、入力された前記体重及び身長の数値を、乖離の程度に応じた複数の異なる色で多段階に表示する、
ことを特徴とする請求項４に記載の磁気共鳴イメージング装置。
【請求項６】
前記乖離の程度を判定するための閾値及び前記異なる色の種類の少なくともいずれかは、ユーザ操作によって変更できるように構成される、
ことを特徴とする請求項５に記載の磁気共鳴イメージング装置。
【請求項７】
前記表示部は、人体形状を模擬したアイコンをさらに表示する一方、前記ＢＭＩが前記所定の閾値範囲内にない場合は、前記アイコンの形状を前記ＢＭＩに基づいて変形させて表示する、
ことを特徴とする請求項１乃至６のいずれか１項に記載の磁気共鳴イメージング装置。
【請求項８】
少なくとも体重と身長を含む患者情報を入力する入力部と、
入力された前記体重と身長とから、体重（ｋｇ）／（身長（ｍ））２、で表されるＢＭＩ（Body Mass Index）を算出する指標算出部と、
算出した前記ＢＭＩが所定の閾値範囲内にあるか否かを判定する判定部と、
前記ＢＭＩが前記所定の閾値範囲内にない場合は、その旨を警告表示する表示部と、
を備えたことを特徴とする医用情報処理装置。
【請求項９】
少なくとも体重と身長を含む患者情報を入力し、
入力された前記体重と身長とから、体重（ｋｇ）／（身長（ｍ））２、で表されるＢＭＩ（Body Mass Index）を算出し、
算出した前記ＢＭＩが所定の閾値範囲内にあるか否かを判定し、
前記ＢＭＩが前記所定の閾値範囲内にない場合は、その旨を警告表示する、
ことを特徴とする患者情報表示方法。
【発明の詳細な説明】
【技術分野】
【０００１】
本発明の実施形態は、磁気共鳴イメージング装置、医用情報処理装置及び患者情報表示方法に関するに関する。
【背景技術】
【０００２】
磁気共鳴イメージング装置は、静磁場中に置かれた患者の原子核スピンをラーモア周波数の高周波（ＲＦ：Radio Frequency）信号で励起し、励起に伴って患者から発生する磁気共鳴信号を再構成して画像を生成する撮像装置である。
【０００３】
磁気共鳴イメージング装置では、磁気共鳴信号を得るために高周波信号（ＲＦ信号）を患者に印加する。高周波信号の印加は患者を加熱し、患者の体温を上昇させる。そこで、安全面の観点から、患者の単位質量当たりに吸収されるエネルギーとしてＳＡＲ（Specific Absorption Ratio）が定義され、ＳＡＲの上限値、即ち安全基準値が、ＩＥＣ（International Electrotechnical Commission）規格（ＩＥＣ６０６０１−２−３３）として規定されている。より具体的には、ＳＡＲ（単位はW/kg）は、生体組織１ｋｇに吸収されるＲＦ信号のエネルギーとして定義され、任意の１０秒間での平均ＳＡＲ（以下、単に１０秒平均ＳＡＲと呼ぶ）や、直近の６分間での平均ＳＡＲ（以下、単に６分平均ＳＡＲと呼ぶ）の上限値が、全身や頭部等の撮像部位に応じて夫々規定されている。
【０００４】
そして、これら１０秒平均ＳＡＲや６分平均ＳＡＲが、規定されているＳＡＲの上限値を超えないように撮像が行われる。
【０００５】
ＳＡＲは、患者の単位質量当たりに吸収されるエネルギーとして定義されており、１０秒平均ＳＡＲや６分平均ＳＡＲ、或いはＳＡＲの上限値の算出には、患者の体重情報が必須となる。また、患者の一部を撮像する場合において、その撮像部位の部分体重を推定するために、体重情報に加えて患者の身長情報が使用されることもある（例えば、特許文献１等）。
【先行技術文献】
【特許文献】
【０００６】
【特許文献１】特開２００９−７２５７１号公報
【発明の概要】
【発明が解決しようとする課題】
【０００７】
上記のとおり、患者の体重や身長はＳＡＲ算出のための重要な情報であり、通常、磁気共鳴イメージング装置を用いた撮像を開始する前に、患者の体重や身長を、磁気共鳴イメージング装置のコンソールから技師等がキーボード等を用いて入力する。
【０００８】
しかしながら、体重や身長の入力は人間による操作であるため、ヒューマンエラーの発生を完全には排除できない。
【０００９】
入力した体重や身長をコンソールの表示部に再表示して確認を促す方法もあるが、そもそも入力したユーザ（技師等）は正しい値を入力したと思い込んでいるため、再表示された体重や身長をそれ程真剣に確認しないことが多く、単なる再表示ではヒューマンエラーを排除する効果が少ない。
【００１０】
この他、磁気共鳴イメージング装置の寝台に患者の体重を測定する機能を付加する方法も考えられるが、装置が複雑となり、コストも増加する。また、この方法では、患者の上に載置された受信コイルの重量を差し引かなければならないが、受信コイルの総重量は、種類や数によって異なるため、受信コイルの総質量に関する情報を別途入力しなければならず、操作が煩雑となる。
【００１１】
そこで、体重や質量の誤入力を、簡便な方法で、かつ確実に防止することができる磁気共鳴イメージング装置及び医用情報処理装置が要望されている。
【課題を解決するための手段】
【００１２】
本実施形態の磁気共鳴イメージング装置は、少なくとも体重と身長を含む患者情報を入力する入力部と、入力された前記体重と身長とから、体重（ｋｇ）／（身長（ｍ））２、で表されるＢＭＩ（Body Mass Index）を算出する指標算出部と、算出した前記ＢＭＩが所定の閾値範囲内にあるか否かを判定する判定部と、前記ＢＭＩが前記所定の閾値範囲内にない場合は、その旨を警告表示する表示部と、を備えたことを特徴とする。
【図面の簡単な説明】
【００１３】
【図１】実施形態の磁気共鳴イメージング装置の全体構成例を示す構成図。
【図２】病院内のネットワークに接続される各種の装置の一例を示す図。
【図３】身長、体重が誤って入力される例を説明する図。
【図４】磁気共鳴イメージング装置のコンソールの機能ブロックのうち、身長、体重の誤入力防止に関する機能を主に示す機能ブロック図。
【図５】病院内のネットワークに接続される医用情報処理装置の機能のうち、身長、体重の誤入力防止に関する機能を主に示す機能ブロック図。
【図６】身長及び体重の誤入力防止に関する処理の一例を示すフローチャート。
【図７】算出したＢＭＩと閾値との関係及び体重及び身長の表示態様の一例を示す図。
【図８】コンソールの入力画面に表示される警告表示の一例を示す図。
【図９】体重と質量が正しく入力されたときに、入力画面に表示されるアイコンの一例を示す図。
【図１０】体重と質量が誤って入力されたときに、入力画面に表示されるアイコンの一例を示す図。
【発明を実施するための形態】
【００１４】
以下、本発明の実施形態を添付図面に基づいて説明する。
【００１５】
（１）全体構成
図１は、本実施形態における磁気共鳴イメージング装置１の全体構成を示すブロック図である。実施形態の磁気共鳴イメージング装置１は、磁石架台１００、寝台２００、制御キャビネット構成品３００、コンソール４００等を備えて構成される。
【００１６】
磁石架台１００は、静磁場磁石１０、傾斜磁場コイル１１、ＲＦコイル１２等を有しており、これらの構成品は円筒状の筐体に収納されている。寝台２００は、寝台本体２０と天板２１を有している。
【００１７】
一方、制御キャビネット構成品３００は、静磁場用電源３０、傾斜磁場電源３１（Ｘ軸用３１ｘ、Ｙ軸用３１ｙ、Ｚ軸用３１ｚ）、ＲＦ受信器３２、ＲＦ送信器３３、シーケンスコントローラ３４等を備えている。また、コンソール４００は、プロセッサ４０、記憶部４１、入力部４２、表示部４３等を有するコンピュータとして構成されている。
【００１８】
磁石架台１００の静磁場磁石１０は、概略円筒形状をなしており、被検体（患者）の撮像領域であるボア（静磁場磁石１０の円筒内部の空間）内に静磁場を発生させる。静磁場磁石１０は超電導コイルを内蔵し、液体ヘリウムによって超電導コイルが極低温に冷却されている。静磁場磁石１０は、励磁モードにおいて静磁場用電源３０から供給される電流を超電導コイルに印加することで静磁場を発生し、その後、永久電流モードに移行すると、静磁場用電源３０は切り離される。一旦永久電流モードに移行すると、静磁場磁石１０は長時間、例えば１年以上に亘って、大きな静磁場を発生し続ける。なお、静磁場磁石１０を永久磁石として構成しても良い。
【００１９】
傾斜磁場コイル１１も概略円筒形状をなし、静磁場磁石１０の内側に固定されている。この傾斜磁場コイル１１は、傾斜磁場電源（３１ｘ、３１ｙ、３１ｚ）から供給される電流によりＸ軸，Ｙ軸，Ｚ軸の方向に傾斜磁場を被検体に印加する。
【００２０】
寝台２００の寝台本体２０は天板２１を上下方向に移動可能であり、撮像前に天板２１に載った被検体を所定の高さまで移動させる。その後、撮影時には天板２１を水平方向に移動させて被検体をボア内に移動させる。
【００２１】
ＲＦコイル１２は全身用コイルとも呼ばれ、傾斜磁場コイル１１の内側に被検体を挟んで対向するように固定されている。ＲＦコイル１２は、ＲＦ送信器３３から伝送されるＲＦパルスを被検体に向けて送信する一方、また、水素原子核の励起によって被検体から放出される磁気共鳴信号を受信する。
【００２２】
ＲＦ送信器３３は、シーケンスコントローラ３４からの指示に基づいて、ＲＦコイル１２にＲＦパルスを送信する。一方、ＲＦ受信器３２は、ＲＦコイル１２によって受信された磁気共鳴信号を検出し、検出した磁気共鳴信号をデジタル化して得られる生データをシーケンスコントローラ３４に対して送信する。
【００２３】
シーケンスコントローラ３４は、コンソール４００による制御のもと、傾斜磁場電源３１、ＲＦ送信器３３およびＲＦ受信器３２をそれぞれ駆動することによって被検体のスキャンを行う。そして、シーケンスコントローラ３４は、スキャンを行ってＲＦ受信器３２から生データを受信すると、その生データをコンソール４００に送信する。
【００２４】
コンソール４００は、磁気共鳴イメージング装置１全体を制御する。具体的には、検査技師等のマウスやキーボード等（入力部４２）の操作によって撮像条件その他の各種情報や指示を受け付ける。そして、プロセッサ４０は、入力された撮像条件に基づいてシーケンスコントローラ３４にスキャンを実行させる一方、シーケンスコントローラ３４から送信された生データに基づいて画像を再構成する。再構成された画像は表示部４３に表示され、或いは記憶部４１に保存される。
【００２５】
実施形態の磁気共鳴イメージング装置１では、前述したＳＡＲの算出はコンソール４００で行っている。具体的には、コンソール４００の入力部４２からキーボード等を用いて、技師等が患者の体重や身長等の患者情報を入力する。コンソール４００のプロセッサ４０は、入力された体重や身長の情報に基づいてＳＡＲの上限値を算出する。また、パルスシーケンス等の撮像条件が入力部４２から設定されると、撮像条件に対応するＲＦパルスの諸元と、患者の体重や身長とからこれから行おうとする撮像のＳＡＲを予測計算し、設定した撮像条件に基づくＳＡＲが、ＳＡＲの上限値以内であるか否かが判定される。また、撮像が開始された後も実際のＲＦパワーを測定し、測定したＲＦパワーと患者の体重や身長とからＳＡＲの実測値を算出している。そして、もしＳＡＲの実測値がＳＡＲの上限値を超えそうな場合は、その前に撮像を停止するような処理を行っている。
【００２６】
患者の体重や身長の入力は、磁気共鳴イメージング装置１のコンソール４００で行う他、病院内の他の場所に設置されているＲＩＳ（Radiology Information System）等の医用情報処理装置５０１から入力することもある。
【００２７】
図２は、病院内のネットワーク５００に接続される各種の装置の一例を示す図である。ネットワーク５００には、磁気共鳴イメージング装置１や、他のモダリティであるＣＴ装置５０４等が接続されるほか、各モダリティで撮像した医用画像を保存する医用画像サーバ５０２、画像を読影するための読影用ワークステーション５０３、医用情報処理装置５０１等が接続されている。
【００２８】
医用情報処理装置５０１では、患者の体重や身長を含む患者情報が入力される他、磁気共鳴イメージング装置１等のモダリティで撮像するための検査内容を含んだ撮像オーダが作成される。そして、このオーダは、ＭＲＩ撮像を行う場合には、磁気共鳴イメージング装置１のコンソール４００に向けて送信される。
【００２９】
上述したように、患者の体重や身長に関する情報はＳＡＲの算出に使用されるため、誤った情報が入力されると、患者に危険を及ぼす恐れもある。例えば、入力する技師等の誤操作によって、患者の体重を実際の体重よりも大きな値として入力すると、ＳＡＲの上限値は本来の値よりも大きな値として算出されることになる。この結果、本来超えてはならない値以上のＲＦパワーが患者に照射される可能性が生じてしまう。
【００３０】
逆に、患者の体重を実際の体重よりも小さな値として入力すると、ＳＡＲの上限値は本来の値よりも小さな値として算出されることになる。この結果、本来出力すべきＲＦパワーよりも小さな値で制限がかかり、ＳＮＲの低い画像が生成されることになる。
【００３１】
図３は、身長、体重が誤って入力される例を示している。この例では、本来入力されるべき正しい身長と体重として、身長：１７５ｃｍ、体重：８２ｋｇ、としている。
【００３２】
誤った入力例（１）は、身長と体重をうっかり逆に入力してしまった例であり、身長が８２ｃｍ、体重が１７５ｋｇと誤入力されている。
【００３３】
誤った入力例（２）は、身長の値として「１７５」と入力すべきところを、間の「７」の入力をキーボードのミスタッチ等で入力し忘れており、その結果、身長が「１５」ｃｍとして誤入力されている。また、体重の値として「８２」と入力すべきところを、最後の「２」を続けて２回入力してしまった結果、体重が「８２２」ｋｇとして誤入力されている。
【００３４】
誤った入力例（１）、（２）は、いずれも体重の値が本来の値よりも大きく入力されている。この結果、ＳＡＲの上限値が本来の正しい値に比べて非常に大きな値として計算されることになる。このため、何らかの原因で患者に大きなＲＦパワーが照射され、実際のＳＡＲが本来のＳＡＲの上限値を超えてしまっても、ＲＦパワーの照射を直ちに停止させることができなくなり、患者に危険を与えることになる。
【００３５】
誤った入力例（３）は、米国向けの磁気共鳴イメージング装置１の仕様で、身長をインチの単位で入力する際の誤入力例である。身長をインチ、体重をｋｇで入力する場合、身長の数値と体重の数値が比較的近い値となるため、身長と体重とを逆に入力してもそれに気づかない可能性が高い。
【００３６】
入力したユーザ（技師等）自身は正しい値を入力したと思い込んでいるため、一旦上記のような誤入力をしてしまうと、入力した本人はその誤りをなかなか発見できず、従来、このような一見直ぐに気付きそうなヒューマンエラーですら完全に排除することは難しかった。
【００３７】
本実施形態の磁気共鳴イメージング装置１、或いは医用情報処理装置５０１は、上記の従来の問題を解決するものであり、身長、体重の誤入力を簡便な方法で効果的に防止することができる。以下にその内容を説明する。
【００３８】
（２）身長・体重の誤入力防止
図４は、磁気共鳴イメージング装置１のコンソール４００の機能ブロックのうち、身長、体重の誤入力防止に関する機能を主に示す機能ブロック図である。
【００３９】
コンソール４００は、キーボードやマウス等を有する入力部４２や表示パネルを有する表示部４３の他、指標算出部４１０、判定部４２０、警告表示生成部４３０、ＳＡＲ算出部４４０等を有して構成される。
【００４０】
入力部４２からは、少なくとも体重と身長を含む患者情報が、ユーザ操作によってコンソール４００に入力される。指標算出部４１０は、入力された体重と身長とから、体重（ｋｇ）／（身長（ｍ））２、で表されるＢＭＩ（Body Mass Index）を算出する。
【００４１】
判定部４２０は、算出したＢＭＩが所定の閾値範囲内にあるか否かを判定する。表示部４３は、ＢＭＩが前記所定の閾値範囲内にないと判定された場合に、その旨を警告表示する。警告表示生成部４３０は、表示部４３に上記の警告表示をさせるための表示用データを生成する。
【００４２】
一方、ＳＡＲ算出部４４０は、入力された体重及び身長の情報に基づいて、ＳＡＲの上限値を算出する。また、撮像条件の設定段階では、設定した撮像条件と入力された体重及び身長の情報を用いてＳＡＲを予測し、ＳＡＲの予測値がＳＡＲの上限値を超えない範囲に収まっているか否かを判定する。ＳＡＲの予測値がＳＡＲの上限値を超えると判定された場合には、撮像条件を再設定することになる。
【００４３】
さらに、実際の撮像が開始された後においては、ＲＦパワーを測定し、その測定値と入力された体重及び身長からＳＡＲの実測値を算出し、ＳＡＲの実測値がＳＡＲの上限値を超えそうな場合は、撮像を停止するようにしている。
【００４４】
上記構成のうち、指標算出部４１０、判定部４２０、警告表示生成部４３０、ＳＡＲ算出部４４０の各機能は、コンソール４００が具備するプロセッサ４０が、記憶部４１に保存された所定のプログラムコードを実行することによって実現される。
【００４５】
図５は、病院内のネットワーク５００に接続されているＲＩＳ等の医用情報処理装置５０１の機能のうち、同じく身長、体重の誤入力防止に関する機能を主に示す機能ブロック図である。
【００４６】
医用情報処理装置５０１は、磁気共鳴イメージング装置１のコンソール４００と同様に、キーボードやマウス等を有する入力部５４２や表示パネルを有する表示部５４３の他、指標算出部５１０、判定部５２０、警告表示生成部５３０等を有して構成される。これらの機能は、コンソール４００の入力部４２、表示部４３、指標算出部４１０、判定部４２０及び警告表示生成部４３０と実質的に同じであるため、説明を省略する。なお、医用情報処理装置５０１は、コンソール４００のＳＡＲ算出部４４０に該当する機能は有していない。
【００４７】
図６は、磁気共鳴イメージング装置１のコンソール４００、或いはネットワーク５００に接続される医用情報処理装置５０１の各種処理のうち、身長及び体重の誤入力防止に関する処理の一例を示すフローチャートである。以下、このフローチャートに沿って、本実施形態に係る誤入力防止の動作についてより詳しく説明する。
【００４８】
図６のステップＳＴ１０では、入力部４２からユーザが入力した体重及び身長の値を受け付ける。ステップＳＴ１１では、入力された体重及び身長から、これらの誤入力を判定する指標として、ＢＭＩを算出する。ＢＭＩは、以下の数式で算出する。
【００４９】
ＢＭＩ＝体重（ｋｇ）／（身長（ｍ））２
なお、身長は通常[ｃｍ]の単位で入力さるため、上記式の算出の前に[ｃｍ]から[ｍ]への単位換算を行っておく。また、磁気共鳴イメージング装置１が米国仕様等であって身長の入力単位が[インチ]の場合には、上記式の算出の前に[インチ]から[ｍ]への単位換算を行っておく。
【００５０】
ステップＳＴ１２では、算出したＢＭＩが所定の閾値範囲内であるか否かの判定を行う。そして、その判定結果に基づき、ＢＭＩが所定の閾値範囲内である場合には体重及び身長の表示を標準的な表示態様で表示する（ステップＳＴ１３）。一方、ＢＭＩが所定の閾値範囲外である場合には、上記の標準的な表示態様とは異なる態様で警告表示する（ステップＳＴ１４）。
【００５１】
図７は、算出したＢＭＩと閾値との関係、及び体重及び身長の表示態様の一例を示す図である。ＢＭＩの標準値は国や人種によって多少異なるものの、日本では２０から２４の範囲がＢＭＩの標準的な範囲とされている。
【００５２】
そこで、例えば、ＢＭＩの標準的範囲の上限値２４の２倍の４８を第１の閾値とする。そして、算出したＢＭＩが第１の閾値の４８未満であれば、体重及び身長の表示を標準の色、例えば白色で表示するものとする。一方、算出したＢＭＩが第１の閾値の４８以上であれば、警告表示を行う。例えば、体重及び身長の表示を標準の白色とは異なる色、例えば赤色で表示する。この例は、１つの閾値（或いは１つの閾値範囲）による２段階判定である。
【００５３】
特定の地域や、特定の診療科によっては、例えば肥満の患者が多く来院することも考えられる。このような場合、閾値を超えるケースが多くなり、１つの閾値による２段階判定ではユーザが警告色（上記の例では赤色）に慣れてしまい警告の意味が薄れてしまう恐れもある。
【００５４】
そこで、上記の２段階判定に換えて、算出したＢＭＩと前記の閾値（或いは閾値範囲）との乖離の程度をさらに判定し、乖離の程度に応じて、警告表示の態様を多段階に異ならせて、或いは連続的に変化させて表示するようにしてもよい。
【００５５】
例えば、図７に示すように、ＢＭＩの標準的範囲の上限値２４の３倍の７２を第２の閾値とし、４倍の９６を第３の閾値として設定する。そして、例えば、（ａ）算出したＢＭＩが第１の閾値の４８未満であれば体重及び身長の表示を白色で表示する、（ｂ）算出したＢＭＩが第１の閾値（４８）以上で第２の閾値（７２）未満であれば体重及び身長の表示をピンク色で表示する、（ｃ）算出したＢＭＩが第２の閾値（７２）以上で第３の閾値（９６）未満であれば体重及び身長の表示をオレンジ色で表示する、そして、（ｄ）算出したＢＭＩが第３の閾値（９６）以上であれば体重及び身長の表示を赤色で表示する、としても良い。
【００５６】
また、算出したＢＭＩと、前記の閾値或いはＢＭＩの標準的範囲の上限値との乖離の程度に応じて、体重及び身長の表示の彩度と色相を連続的に変化させて表示させても良い。
【００５７】
図８は、コンソール４００の表示部４３（或いは、医用情報処理装置５０１の表示部５４３）における患者情報の入力画面ＤＳの一例を示す図である。
【００５８】
患者ＩＤ，患者氏名、年齢、性別、検査内容等を順次入力すると、その内容が逐次入力画面ＤＳに表示される。一方、身長と体重に関しては、これらの値を入力すると直ちに入力した値からＢＭＩが算出され、前記した各閾値との判定が行われる。そして、判定結果に基づいて身長と体重の表示の色が決定され、決定された色で身長と体重が表示される。
【００５９】
図８は、身長と体重が逆に入力された誤入力の例であり、この場合、ＢＭＩは、約２６０という異常に大きな値として算出され、図７に示す第３の閾値を超える。このため、身長と体重は赤色で警告表示されることになる。
【００６０】
ここまでの説明では、体重と身長を表す文字や数字を、通常の色とは異なる色で表示させることによって警告表示するものとしたが、警告表示は色の変化に限定されるものではない。例えば、体重と身長を表す文字や数字の大きさや太さを、通常の大きさや太さとは異ならせて表示させることによって警告表示してもよい。或いは、色、大きさ、太さの変化を適宜組み合わせた警告表示としても良い。即ち、ＢＭＩが所定の閾値範囲内にあるときの表示とは異なる色、異なる大きさ、及び異なる太さの少なくともいずれかで、入力された体重及び身長を表示することによって、警告表示をする形態としてもよい。
【００６１】
さらに、前記の各閾値（第１乃至第３の閾値等）、前記の異なる色、異なる大きさ及び異なる太さの少なくとも１つは、装置毎にユーザ操作によって変更できるように、即ちカスタマイズできるように構成されるのが好ましい。
【００６２】
加えて、図６のステップＳＴ１５、ステップＳＴ１６にあるように、体重と質量の表示（文字や数値の表示）自体を警告表示することに加えて、ユーザの注意をより一層喚起するために、人体形状を模擬したアイコンを入力画面ＤＳにさらに表示させてもよい。
【００６３】
例えば、人体形状を模擬したアイコンを体重と質量の表示に加えて表示し、ＢＭＩが所定の閾値範囲内にない場合は、このアイコンの形状をＢＭＩに基づいて変形させて表示することでユーザの注意を喚起することができる。
【００６４】
図９は、体重と質量が正しく入力されたときに、入力画面ＤＳに表示されるアイコンＩＣの一例を示す図である。アイコンＩＣは、人体形状を模擬した図形として生成され、体重と質量が正しく入力されたときには、図９に例示するように、身長と体重とがバランスのとれた一般的な人間の形状を模擬した形のアイコンとして表示される（ステップＳＴ１５）。
【００６５】
これに対して、図１０は、体重と質量が誤って入力されたときに、入力画面ＤＳに表示されるアイコンＩＣの一例を示す図である。図１０は、図８と同様に、体重と質量とが逆に入力されており、ＢＭＩが異常に大きな値となるため、身長と体重は赤色で警告表示されることになる。この警告表示に加えて、図１０では、ＢＭＩに基づいて変形させた形状のアイコンＩＣをさらに表示するものとしている（ステップＳＴ１６）。変形させるアイコンの形状自体は特に限定するものではないが、ユーザの注意を直ちに喚起するような形状が好ましい。例えば、ＢＭＩが異常に大きく算出されるような場合は、図１０に示すように、通常の人体形状に対して腹部の大きさを誇張して大きくした形状のアイコンを表示することにより、ユーザの注意を直ぐに喚起させることができる。
【００６６】
以上説明してきたように、実施形態の磁気共鳴イメージング装置１及び医用情報処理装置５０１によれば、体重や質量の誤入力を、簡便な方法で、かつ確実に防止することができる。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１  磁気共鳴イメージング装置
４０  プロセッサ
４２  入力部
４３  表示部
４００  コンソール
４１０  指標算出部
４２０  判定部
４３０  警告表示生成部
５０１  医用情報処理装置
【図１】
2014213085.tif 000003
【図２】
2014213085.tif 000004
【図３】
2014213085.tif 000005
【図４】
2014213085.tif 000006
【図５】
2014213085.tif 000007
【図６】
2014213085.tif 000008
【図７】
2014213085.tif 000009
【図８】
2014213085.tif 000010
【図９】
2014213085.tif 000011
【図１０】
2014213085.tif 000012